(57)【要約】      （修正有）【課題】照明モードを変更可能な灯具装置を提供する。【解決手段】照明モードを変更可能な灯具装置は、照明部１１を設け、且つ照明部１１内に発光素子１２を設ける主体１と、主体１に組み付けられ且つ照明部１１に対応し、フォグミラー２１、内回転環２２及び外回転環２３を含み、該フォグミラーが照明部１１内に枢着され、且つ発光素子１２に対応して設置され、該内回転環が照明部１１に被せ設けられ、且つフォグミラー２１の照明部１１に相対した回転を連動し、該外回転環は、内回転環２２に被せ設けられ、内回転環２２の回転を連動するレンズ組と、を含み、そのうち、外回転環２３を調整して内回転環２２の照明部１１に対する正逆方向の回転を連動し、フォグミラー２１の照明部１１に対する回転を連動し、フォグミラー２１に発光素子１２を覆わせるか、発光素子１２を離した状態にさせ、光線の焦点変更の効果を達成する。【選択図】図２
0003190280.tif 000002
【実用新案登録請求の範囲】
【請求項１】
照明部を設け、且つ照明部内に発光素子を設ける主体と、主体に組み付けられ且つ照明部に対応し、フォグミラー、内回転環及び外回転環を含み、該フォグミラーが照明部内に枢着され、且つ発光素子に対応して設置され、該内回転環が照明部に被せ設けられ、且つフォグミラーの照明部に相対した回転を連動し、該外回転環は、内回転環に被せ設けられ、内回転環の回転を連動するレンズ組と、を含み、そのうち、外回転環を調整して内回転環の照明部に対する正逆方向の回転を連動し、フォグミラーの照明部に対する回転を連動し、フォグミラーに発光素子を覆わせるか、発光素子を離した状態にさせ、光線の焦点変更の効果を達成する照明モードを変更可能な灯具装置。
【請求項２】
前記フォグミラーは、遮蔽部及び受動部を設け、該遮蔽部は、発送素子に対応し、該受動部外周に傾斜スライドレールを設け、内回転環に傾斜スライドレールに活動的に嵌め込まれる滑動リブを設ける請求項１に記載の照明モードを変更可能な灯具装置。
【請求項３】
前記レンズ組は、更に、主体に接続する基台を含み、それは、内回転環に貫通設置され且つ基台外周に限位孔を開設し、該滑動リブは、限位孔に貫通設置され、且つ限位孔の幅は、滑動リブの直径の寸法より大きい請求項２に記載の照明モードを変更可能な灯具装置。
【請求項４】
前記フォグミラー両端にそれぞれ枢着リブを設け、且つ基台両側にそれぞれ枢着リブに対応して枢着溝を設け、各枢着リブは、枢着溝内に枢着される請求項３に記載の照明モードを変更可能な灯具装置。
【請求項５】
更に、固定環を含み、該固定環は、フォグミラー外周に被せ設けられ、且つ固定環が基台上に組み付けられ、枢着溝の溝口を密閉する請求項４に記載の照明モードを変更可能な灯具装置。
【請求項６】
前記外回転環外周に嵌合部を設け、内回転環が外回転環の嵌合部に対応して相互に嵌合する対応部を設ける請求項１に記載の照明モードを変更可能な灯具装置。
【考案の詳細な説明】
【技術分野】
【０００１】
本考案は、照明モードを変更可能な灯具装置に関し、それは、灯具の技術分野に応用され、特に、光線照射状態を切り換えることができる照明モードを変更可能な灯具装置に関する。
【背景技術】
【０００２】
灯具の応用は、相當に広く、例えば、医療用、車両用、室内外照明用、余暇外出用、工程用等の灯具があり、且つ灯具は、異なる環境の要求に応じて照射範囲を調整し、要求に適合する光源へ変更される。
【０００３】
一般に、工程スタッフが夜間に作業を行う時、通常、ヘッドライトを頭上に搭載し、両手が作業に利用できるようにし、ピット、洞窟、下水道、トンネル等の暗い空間で作業を行う時、環境空間の距離に応じて焦点を調整し、市場では、焦点を変更可能な灯具があり、使用者に環境の変化に応じて照明の焦点距離を変更させることが可能となっている。中華民国専利公告第Ｍ３８９２６４号「光源の焦点変更装置」は、基台と、該基台に設置される発光ユニットと、を含み、該発光ユニットは、該発光ユニット外に設置され、該基台と結合する伸縮装置と、該伸縮装置に設置される透光体と、電源を提供し、該発光ユニットに使用させる電源供給装置と、を含み、これにより、光源の焦点変更装置を組成する。それは、透光体を伸縮装置に設置することができ、該伸縮装置を基台に結合し、焦点変更の効果を達成している。
【０００４】
しかしながら、前記焦点変更装置は、伸縮装置によって便利に焦点変更する効果を提供することができるが、霧、雨、視界不良な環境においては、高輝度の光線を提供し、使用者に視界不良の環境で依然として明確に周囲の環境を観察させるとともに、環境中のその他の人に自身の位置を察知させることができるようにしなければならず、従って、灯具中にフォグランプの効果を設けることによって、各使用者の要求に適合させることが可能となる。
【０００５】
一般のフォグランプの原理は、光形、集光度、光の波長を変更し、ランプシェード上にパターンを刻むことによってフォグランプの効果を達成し、高輝度の光線を提供し、周知のフォグランプ効果は、灯殻中に反射面、集光ソケット、遮光板を取り付けることで光形及び輝度の制御の効果を達成し、灯具内に少なくとも２組の光源組を取り付け、異なる領域に配置し、照明ランプ及びフォグランプの効果を達成し、中華民国専利公告第Ｍ３６５８６２「車両用多機能灯具」を参照することができる。
【０００６】
しかしながら、従来技術のヘッドライトは、焦点変更可能な効果を有するが、フォグランプの照明効果を提供することができず、多種の従来技術の灯具は、異なる照明モードを切り換えることができるが、それは、各種光源組が異なる領域に設置されており、このように、比較的大きな部品で構成する必要があり、且つ組み立て上の複雑性を増加させ、重量が増加し、且つ灯具の体積を縮小できず、組み立てが容易でないという欠点を有する。
【０００７】
また、一般に使用される白色発光ダイオードは、青色光と黄色光の光波を有し、フォグ中で比較的散乱する光波が青色光波である（寸話地、波長が短い光波）。白色光のＬＥＤを直接使用すれば、灯具の出力スペクトル中に青色光スペクトルが、フォグ中の散乱を招く。
【０００８】
上記各従来技術灯具の欠陥に鑑み、本考案者は、多くの時間を関連知識の研究に投じて各項の優劣を比較し、且つ関連製品の研究及び開発を行い、多くの実験及び試験を経てようやく『照明モードを変更可能な灯具装置』を開発している。
【先行技術文献】
【特許文献】
【０００９】
【特許文献１】特開２０１２−５９６９１号公報
【考案の概要】
【考案が解決しようとする課題】
【００１０】
本考案の目的は、簡易な構造で、一般の照明効果、及びフォグランプへの切り換え効果を提供し、両者の異なる照明モードを簡易に切り換えさせることである。
【００１１】
本考案のもう１つの目的は、フォグミラーにより白色光発光ダイオードが発生する青色光波を消去し、フォグ環境で比較的良好な照明を提供する波長光波を保留することである。
【課題を解決するための手段】
【００１２】
上記目的及び効果を達成する為、本考案の『照明モードを変更可能な灯具装置』は、照明部を設け、且つ照明部内に発光素子を設ける主体と、主体に組み付けられ且つ照明部に対応し、フォグミラー、内回転環及び外回転環を含み、該フォグミラーが照明部内に枢着され、且つフォグミラーが発光素子に対応して設置され、該内回転環が照明部に被せ設けられ、且つ内回転環がフォグミラーの照明部に相対した回転を連動し、該外回転環は、内回転環に被せ設けられ、内回転環の回転を連動するレンズ組と、を含み、そのうち、外回転環を調整して内回転環の照明部に対する正逆方向の回転を連動し、フォグミラーの照明部に対する回転を連動し、フォグミラーに発光素子を覆わせるか、発光素子を離した状態にさせ、光線の焦点変更の効果を達成させる。
【００１３】
本考案の更なる技術特徴として、該フォグミラーは、遮蔽部及び受動部を設け、該遮蔽部は、発送素子に対応し、該受動部外周に傾斜スライドレールを設け、内回転環に傾斜スライドレールに活動的に嵌め込まれる滑動リブを設け、且つフォグミラー両端にそれぞれ枢着リブを設け、且つ基台両側にそれぞれ枢着リブに対応して枢着溝を設け、各枢着リブは、枢着溝内に枢着される。
【００１４】
本考案の更なる技術特徴として、レンズ組は、更に、主体に接続する基台を含み、それは、内回転環に貫通設置され且つ基台外周に限位孔を開設し、該滑動リブは、限位孔に貫通設置され、且つ限位孔の幅は、滑動リブの直径の寸法より大きい。
【００１５】
本考案の更なる技術特徴として、更に、固定環を含み、該固定環は、フォグミラー外周に被せ設けられ、且つ固定環が基台上に組み付けられ、枢着溝の溝口を密閉する。
【００１６】
本考案の更なる技術特徴として、外回転環外周に嵌合部を設け、内回転環が外回転環の嵌合部に対応して相互に嵌合する対応部を設ける。
【考案の効果】
【００１７】
本考案の照明モードを変更可能な灯具装置は、照明部を設け、且つ照明部内に発光素子を設ける主体と、主体に組み付けられ且つ照明部に対応し、フォグミラー、内回転環及び外回転環を含み、該フォグミラーが照明部内に枢着され、且つ発光素子に対応して設置され、該内回転環が照明部に被せ設けられ、且つフォグミラーの照明部に相対した回転を連動し、該外回転環は、内回転環に被せ設けられ、内回転環の回転を連動するレンズ組と、を含み、そのうち、外回転環を調整して内回転環の照明部に対する正逆方向の回転を連動し、フォグミラーの照明部に対する回転を連動し、フォグミラーに発光素子を覆わせるか、発光素子を離した状態にさせ、光線の焦点変更の効果を達成する。
【図面の簡単な説明】
【００１８】
【図１】本考案の立体図である。
【図２】本考案の分解立体図である。
【図３】本考案の他の視角の分解立体図である。
【図４】、
【図５】本考案の回転フォグミラー局部断面動作図である。
【図６】、
【図７】本考案の限位孔中の変位を滑動的に補助する局部透視動作図である。
【考案を実施するための形態】
【００１９】
本考案の上記目的及び効果を達成する為に採用する技術手段及び構造について、図面を合わせ、本考案の実施例を挙げ、その特徴及び効果を詳細に説明する。
【００２０】
図１〜図３を参照し、本考案の『照明モードを変更可能な灯具装置』は、ヘッドライト、懐中電灯等の灯具に応用でき、照明部１１を設け、且つ照明部１１内に発光素子１２を設け、本実施例の発光素子１２は、発光ダイオードである主体１と、主体１に組み付けられ且つ照明部１１に対応し、フォグミラー２１、内回転環２２及び外回転環２３を含み、該フォグミラー２１が照明部１１内に枢着され、且つフォグミラー２１が発光素子１２に対応して設置され、該内回転環２２が照明部１１に被せ設けられ、且つ内回転環２２がフォグミラー２１の照明部１１に相対した回転を連動し、該外回転環２３は、内回転環２２に被せ設けられ、内回転環２２の回転を連動するレンズ組２と、を含む。
【００２１】
以上の構造の説明に基づき、図４、図５を参照し、それは、本考案の一般照明モード及びフォグランプモードを切り換える動作過程であり、図４のモードは、フォグランプモードであり、それは、フォグミラー２１が発光素子１２を覆う前に、光線をフォグミラー２１に貫通させ、高輝度の光線を提供し、フォグランプの効果を達成する。一般の照明モードに戻すよう切り換える時、ただ逆方向に外回転環２３を回転させるだけでよく、図５に示すように、外回転環２３に内回転環２２の逆方向回転を連動させた後、フォグミラー２１を照明部１１に対して上向きに回転させ、フォグミラー２１が発光素子１２上を覆う状態を解除し、発光素子１２の光線が環境に直接照射され、一般の照明光源を提供する。このことから分かるように、本考案は、光線が一般の照明状態及びフォグランプ状態に調整したい時、ただ外回転環２３を往復回転させるだけでよく、効果を容易に達成することができる。
【００２２】
本考案の利点は、ただフォグミラー２１により発光素子１２を覆うか、発光素子１２から離脱させるかの簡易構造、及び外回転環２３の回転により一般の照明モード及びフォグランプモードを調整する効果を有し、簡易な部品により簡易な切り換え手段を構成し、本考案を体積の小さい主体１に適用させ、照明モードを迅速に切り換える効果を達成することにある。
【００２３】
また、本考案のフォグミラー２１は、波長フィルタ、光フィルタ効果をもたらすことができるカラーシート等であり、白色光発光ダイオードの青色光波を除去し、フォグ発生時比較的良好な照明効果の黄色から赤色までの光波を保留し、フォグ時の散乱光が発生する迷光を減少又は削減させ、人の眼にフォグ中で見える物体を更に明確にさせる。
【００２４】
前記は、本考案の実施例の主要技術特徴であり、それは、本願の特許請求の範囲第１項の内容に対応し、本考案の目的及び実施形態を詳細に理解することができ、その残りの従属特許請求の範囲に記載する技術特徴は、特許請求の範囲第１項の内容に対する詳細又は付加技術特徴であり、特許請求の範囲第１項の限定範囲を制限するものではなく、本考案の特許請求の範囲第１項は、必ずしもその従属特許請求の範囲に記載する技術特徴を含むものではない。
【００２５】
図２〜図５を参照し、該フォグ２１は、遮蔽部２１１及び受動部２１２を設け、該遮蔽部２１１は、発光素子１２に対応し、該受動部２１２外周に傾斜スライドレール２１２１を設け、図４から分かるように、該傾斜スライドレール２１２１の左端は、主体１から遠く離れ、傾斜スライドレール２１２１の右端は、主体１に比較的接近しており、内回転環２２に傾斜スライドレール２１２１に活動的に嵌め込まれる滑動リブ２２１を設ける。更に、図４、図５の動作状態を参照し、図４のフォグ２１が発光素子１２前端を覆う状態である時、内回転環２２の滑動リブ２２１は、傾斜スライドレール２１２１の右端に嵌合し、外回転環２３を逆方向へ回転させる時、図５に示すように、該滑動リブ２２１は、傾斜スライドレール２１２１に相対して左端へ滑動移動し、フォグミラー２１を上向きに発光素子１２前方へ引き離す。
【００２６】
図６に示すように、フォグミラー２１の過度な回転を回避する為、本考案のレンズ組２は、更に、主体１に接続する基台２４を含み、それは、内回転環２２を貫通設置し且つ基台２４外周に限位孔２４１を開設し、該滑動リブ２２１は、限位孔２３１に貫通設置され、且つ限位孔２４１の幅は、滑動リブ２２１の直径寸法より大きく、これにより、滑動リブ２２１は、ただ限位孔２４１内でのみ限位孔２４１に相対して滑動移動し、滑動リブ２２１の変位量を制限し、同時にフォグミラー２１に適度な回転を達成させる。
【００２７】
図４に示すように、フォグミラー２１両端にそれぞれ枢着リブ２１３を設け、且つ基台２４両側にそれぞれ枢着リブ２１３に対応して枢着溝２４２を設け、各枢着リブ２１３は、枢着溝２４２内に枢着し、フォグミラー２１を枢着リブ２１３により枢着溝２４２に相対して軸回転させ、回転の効果を達成する。本考案は、更に、固定環３を含み、該固定環３は、フォグミラー２１外周に被せ設けられ、且つ固定環３は、基台２４上に組み付けられ、枢着溝２４２の溝口を密閉し、枢着リブ２１３を枢着溝２４２内に制限し、枢着リブ２１３が枢着溝２４２に対して離脱することを回避する。
【００２８】
図３、図４、図５に示すように、外回転環２３外周に嵌合部２３１を設け、内回転環２２は、外回転環２３の嵌合部２３１に対応して相互に嵌合する対応部２２２を設け、外回転環２３の嵌合部２３１は、滑動溝２２２１及び滑動溝２２２１に滑動設置される滑動ブロック２２２２を有し、内回転環２２の対応部２２２を孔状を呈し、滑動ブロック２２２２により対応部２２２に嵌合し、外回転環２３及び内回転環２２の相互の嵌合定位を達成し、外回転環２３により内回転環２２の動作を連動する効果を得ることができる。
【００２９】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３０】
１  主体
１１  照明部
１２  発光素子
２  レンズ組
２１  フォグミラー
２１１  遮蔽部
２１２  受動部
２１２１  傾斜スライドレール
２１３  枢着リブ
２２  内回転環
２２１  滑動リブ
２２２  対応部
２２２１  滑動溝
２２２２  滑動ブロック
２３  外回転環
２３１  嵌合部
２４  基台
２４１  限位孔
２４２  枢着溝
３  固定環
【図１】
0003190280.tif 000003
【図２】
0003190280.tif 000004
【図３】
0003190280.tif 000005
【図４】
0003190280.tif 000006
【図５】
0003190280.tif 000007
【図６】
0003190280.tif 000008
【図７】
0003190280.tif 000009